(57)【要約】【課題】空気調和装置のドレンポンプ等の異常状態を容易に発見できる空気調和装置を提供すること。【解決手段】送風機によって吸い込まれた空気を熱交換する室内熱交換器２と、室内熱交換器２から流下したドレン水８ａを受けるドレンパン３と、ドレンパン３が受けたドレン水を溜めるドレン枡４と、ドレン枡の一隅部に設置されドレン水８ｂを汲み上げる吸水部５ａとドレン水を空気調和装置の外部に設置された排水施設に排出する排出部５ｂとを備えるドレンポンプ５と、ドレン枡４の側面に設けられ吸水部５ａが設置された高さに位置する流出孔７と、ドレン枡４に溜まったドレン水８ｂが流出孔７を通過して流入される管部１１であって管部１１の一端を前記流出孔７と接続し、管部１１の他端を上向きに位置する管部１１とを有しており、管部１１は空気調和装置の外部より管部１１の内部にあるドレン水８ｃを視認可能である空気調和装置。【選択図】図１
2010151361.tif 000002
【特許請求の範囲】
【請求項１】
室内の空気の温度を調節するための空気調和装置において、
送風機によって吸い込まれた空気を熱交換する室内熱交換器と、
前記室内熱交換器から流下したドレン水を受けるドレンパンと、
前記ドレンパンが受けた前記ドレン水を溜めるドレン枡と、
前記ドレン枡の一隅部に設置され前記ドレン水を汲み上げる吸水部と前記ドレン水を前記空気調和装置の外部に設置された排水施設に排出する排出部とを備えるドレンポンプと、
前記ドレン枡の側面に設けられ前記吸水部が設置された高さに位置する流出孔と、
前記ドレン枡に溜まったドレン水が前記流出孔を通過して流入される管部であって前記管部の一端を前記流出孔と接続し、前記管部の他端を上向きに位置する管部とを有しており、
前記管部は前記空気調和装置の外部より前記管部の内部にある前記ドレン水を視認可能であることを特徴とする空気調和装置。
【請求項２】
前記管部は、前記管部の他端を下向きに位置することが可能であることを特徴とする請求項１に記載の空気調和装置。
【請求項３】
前記管部は、前記管部の内部に水より密度の小さな材質からなる浮部を有することを特徴とする請求項１又は２に記載の空気調和装置。
【請求項４】
前記管部は、前記管部の内部側面の所定部分に水に溶解すると着色する試薬が付着していることを特徴とする請求項１乃至３のいずれか１項に記載の空気調和装置。
【発明の詳細な説明】
【技術分野】
【０００１】
本発明は、室内の空気の温度を調節するための空気調和装置に関する。
【背景技術】
【０００２】
例えば、特許文献１において、ドレンパンより導入されるドレン水に塵埃や虫等が混入した場合においても、これをドレンポンプが吸い上げないようにすると共に、サブドレンパン内に外部から塵埃や虫等が進入しないようにして、ドレンポンプの故障を防ぎ、長寿命化した空気調和器のドレン処理装置が提案されている。
【特許文献１】特開２０００−０６５３８６号公報
【発明の開示】
【発明が解決しようとする課題】
【０００３】
しかし、特許文献１の空気調和器のドレン処理装置においては、塵埃や虫等の混入を防ぐ構造を有しているが、ドレンポンプ内に発生する生物によるドレンポンプの故障を防ぐ手段については提案されていない。また、ドレンポンプ等の故障が発生したときに、作業員が、ドレンポンプ等の異常状況を即座に発見する手段については提案されていない。
【０００４】
そのため、ドレンポンプの運転状況を確認する手段がないため、異常発覚後の事後保全となっていた。また、定期的に点検を行う場合においても、空気調和装置が天井面にあるため工具をつかって内部の点検作業に対し多大な時間が取られていた。
【０００５】
本発明は、上記課題を解決するために提案されたものであり、空気調和装置のドレンポンプ等の異常状態を容易に発見できる空気調和装置を提供することを目的とする。
【課題を解決するための手段】
【０００６】
（１）本発明は、室内の空気の温度を調節するための空気調和装置において、送風機によって吸い込まれた空気を熱交換する室内熱交換器と、前記室内熱交換器から流下したドレン水を受けるドレンパンと、前記ドレンパンが受けた前記ドレン水を溜めるドレン枡と、前記ドレン枡の一隅部に設置され前記ドレン水を汲み上げる吸水部と前記ドレン水を前記空気調和装置の外部に設置された排水施設に排出する排出部とを備えるドレンポンプと、前記ドレン枡の側面に設けられ前記吸水部が設置された高さに位置する流出孔と、前記ドレン枡に溜まったドレン水が前記流出孔を通過して流入される管部であって前記管部の一端を前記流出孔と接続し、前記管部の他端を上向きに位置する管部とを有しており、前記管部は前記空気調和装置の外部より前記管部の内部にある前記ドレン水を視認可能であることを特徴とするものである。
【０００７】
（１）の空気調和装置によれば、例えばドレンポンプの内部に水垢やスライム等の生物が発生して、ドレンポンプの吸水力が低下した場合、ドレン枡に溜まるドレン水の水位は上昇する。ドレン枡は、流出孔を介して管部と繋がっており、ドレン枡にかかる大気圧と、管部にかかる大気圧は同じである。そのため、ドレン枡に溜まるドレン水の水位は、管部に溜まるドレン水の水位と同じになる。よって、作業員は、管部に溜まるドレン水を視認することにより、ドレン枡に溜まっているドレン水の水位を知ることができる。管部に溜まるドレン水が通常よりも多い場合、作業員は、空気調和装置のドレンポンプ等の異常状態にあることを容易に発見することができる。
【０００８】
（２）本発明は、（１）に記載の空気調和装置の前記管部は、前記管部の他端を下向きに位置することが可能であることを特徴とするものである。
【０００９】
（２）の空気調和装置によれば、管部の他端を下向きに位置することで管部がドレン枡よりも相対的に下に位置するため、ドレン枡に溜まったドレン水は、流出孔から管部を伝って空気調和装置の外部に排出することができる。そのため、ドレンポンプ等の異常が発生した場合、作業員は、ドレン枡に溜まったドレン水を手動で排出することができ、復旧作業を効率よく短時間で行うことができる。
【００１０】
（３）本発明は、（１）又は（２）に記載の空気調和装置の前記管部は、前記管部の内部に水より密度の小さな材質からなる浮部を有することを特徴とするものである。
【００１１】
（３）の空気調和装置によれば、浮部の位置が、ドレン枡に溜まったドレン水の水位を表しているため、容易にドレン水の水位を確認することができる。そのため、作業員は、空気調和装置のドレンポンプ等の異常状態をより容易に発見することができる。
【００１２】
（４）本発明は、（１）乃至（３）のいずれか１項に記載の空気調和装置の前記管部は、前記管部の内部側面の所定部分に水に溶解すると着色する試薬が付着していることを特徴とするものである。
【００１３】
（４）の空気調和装置によれば、管部の内部側面には、水面が異常と判断される高さ部分に、水に溶解すると着色する試薬が付着されている。そのため、ドレン枡に溜まるドレン水が当該水位まで到達したとき、管部内のドレン水も当該水位まで到達し、管部の内部側面に付着されている試薬がドレン水に溶ける。そのため、管部内のドレン水が着色するので、ドレン枡に溜まったドレン水の量に対して、異常状態か否かの判断が画一的にでき、空気調和装置のドレンポンプ等の異常状態の発見をより適切に行うことが可能となる。
【発明の効果】
【００１４】
本発明によれば、管部の内部にあるドレン水の量を視認することができるため、ドレンポンプ等の異常状態の有無を容易に確認することができる。
【発明を実施するための最良の形態】
【００１５】
以下、本発明の第一の実施形態について説明する。図１は、本発明の一実施形態に係る空気調和装置の断面図である。図２は、図１の空気調和装置において、異常が起こったときの状態における空気調和装置の断面図である。図１及び図２の空気調和装置１は、室内熱交換器２、ドレンパン３、ドレン枡４、ドレンポンプ５、流出孔７、及び管部１１より構成される。
【００１６】
室内熱交換器２は、送風機（図示せず）によって吸い込まれた空気の熱交換を行う。室内熱交換器２に吸い込まれた空気は、室内熱交換器２により熱を奪われると、ドレン水８ａが凝縮される。ドレン水８ａは、室内熱交換器２の表面より、雫状に析出し垂れ落ちる。ドレンパン３は、室内熱交換器２の真下に位置し、その室内熱交換器２から垂れ落ちるドレン水８ａを受けとる。
【００１７】
ドレン枡４は、ドレンパン３と部分的に連続的に連結されている。ドレン枡４は、ドレン枡４の底面４ａの位置がドレンパン３の底面３ａよりも低くなるように設置される。そのため、ドレン枡４は、ドレンパン３が受け取ったドレン水８ｂを溜めることができる。
【００１８】
ドレンポンプ５は、ドレン枡４の一隅部に設置される。ドレンポンプ５は、吸水部５ａと排出部５ｂとを備える。吸水部５ａは、ドレン枡４内に溜まったドレン水８ｂをドレンポンプ５の内部に吸水できる位置にある。排出部５ｂは、吸水部５ａから吸水したドレン水８ｂを排出する。排出されたドレン水は、排出部５ｂから排出管６を経て、空気調和装置１の外部の天井５０の上方に設置された排水施設（図示せず）へ送られる。このようにして、ドレン枡４内に溜まったドレン水８ｂは、吸水部５ａから吸水され、ドレンポンプ５内を通り、排出部５ｂから排出管６を通り、排水施設へ排出される。
【００１９】
流出孔７は、ドレン枡４の側面に設けられ、吸水部５ａが設置された高さに位置する。流出孔７には、管部１１が接続されている。管部１１は、一端を流出孔７と接続し、他端を上向きに位置するように設置される。管部１１の他端は、留部９により固定されている。ドレン水８ｃは、流出孔７から管部１１までドレン水８ｂの一部入ったものである。なお、管部１１は、適切な量のドレン水８ｃの推移に合わせた高さの部分の標線１２が記載されていてもよい。
【００２０】
次に、図２に示すように、空気調和装置１に異常が起こったときについて説明する。例えば、ドレンポンプ５の内部に水垢やスライム等が発生して、ドレンポンプ５の吸水力が低下した場合、ドレン水８ｃの水位は、標線１２より上方に上がる。ドレンポンプ５の吸水力が低下した場合、ドレン枡４のドレン水８ｂの水位が上がる。ドレン枡４と管部１１とは流出孔７にて繋がっており、ドレン枡４及び管部１１にかかる大気圧は同じであるため、管部１１に溜まるドレン水８ｃの水位は、ドレン枡４に溜まるドレン水８ｂの水位と同じになる。そのため、管部１１に溜まるドレン水８ｃの水位も上がる。よって、作業者は、管部１１の内部にあるドレン水８ｃの水位を見るだけで、ドレンポンプ等の異常状態にあることが判断することができ、適切な措置を講じることができる。
【００２１】
図３は、本発明の第一の実施形態に係る空気調和装置において、管部の他端を下向きにしたときの空気調和装置の断面図である。管部１１の他端を下向きに位置することで、管部１１がドレン枡４よりも相対的に下に位置するため、ドレン枡４に溜まったドレン水８ｂは、流出孔７から管部１１を伝って空気調和装置１の外部に排出することができる。そのため、図２のようにドレンポンプ５等の異常が発生し、ドレン枡４内のドレン水８ｂの水位が上昇しすぎた場合でも、作業者は、管部１１の他端を下向きにすることで、ドレン枡４内に溜まりすぎたドレン水８ｂを手動で排出させることができる。
【００２２】
次に、本発明の第二の実施形態について説明する。図４は、本発明の第二の実施形態に係る空気調和装置の断面図である。第一の実施形態に係る空気調和装置と同一の符号については、上記と同様である。管部２１は、一端を流出孔７と接続し、他端を常に上向きに位置しており他とは接続等されていないＪ字状の形状を有した管であっても良い。管部２１がＪ字状の形状を有することで、作業者は、空気調和装置１に留部９を設けなくても、同様にドレン枡４の水位を確認することができる。
【００２３】
なお、管部２１は、管部２１の他端を下向きに位置することも可能である。管部２１の他端を下向きに位置することで、管部２１がドレン枡４よりも相対的に下に位置するため、ドレン枡４に溜まったドレン水８ｂは、流出孔７から管部２１を伝って空気調和装置１の外部に排出することができる。よって、作業者は、管部２１の他端を下向きにすることで、ドレン枡４内に溜まりすぎたドレン水８ｂを容易に排出させることができる。
【００２４】
次に、本発明の第三の実施形態について説明する。図５は、本発明の第三の実施形態に係る空気調和装置の断面図である。第一の実施形態に係る空気調和装置と同一の符号については、上記と同様である。
【００２５】
管部１１は、管部１１の内部に浮部１３を有する。浮部１３は、水より密度の小さな材質よりなる。浮部１３は、ドレン水８ｃの水面に浮かんでいる。浮部１３の形状は、球体、柱体等であり、形状は特に限定されない。浮部１３の大きさは、浮部１３の最大断面が管部１１の断面よりも小さい。そのため、浮部１３は、管部１１の内部を自由に移動することができる。そして、浮部１３の大きさは、空気調和装置１から０．５ｍ〜１．５ｍはなれた外部からでも、作業員が十分に視認可能な大きさである必要がある。また、浮部１３には、作業員の視認を助けるに十分な目立つ色彩が施されていてもよい。そして、作業者は、浮部１３の位置を確認することにより、ドレン枡４の水位を確認することができる。
【００２６】
また、流出孔７は、管部１１側に網部１４を有していてもよい。網部１４は、網目がドレン水８ｂを通すが、浮部１３は通すことがない大きさである。網部１４を有することにより、浮部１３は、ドレン枡４に移動することはなくなる。つまり、浮部１３は、常に管部１１の内部に位置するので、作業者は、常に、浮部１３を視認することができる。
【００２７】
図６は、本発明の第三の実施形態に係る空気調和装置において、異常が起こったときの状態における空気調和装置の断面図である。ドレンポンプ５等に異常が発生すると、ドレン枡４に溜まるドレン水８ｂの水位が上昇し、それに伴い、管部１１に溜まるドレン水８ｃの水位が上昇する。そのため、管部の内部にある浮部１３は、ドレン水８ｃの水位の上昇と共に上方にあがる。図６に示すように、浮部１３が、標線１２よりも上方にあがっている場合、作業者は、ドレンポンプ５等に異常が発生したことを容易に認識することができる。よって、作業者は、管部１１の水位の読み取りが直接難しい場合においても、容易に異常を認識することができ、復旧作業を適切な時期に行うことができる。
【００２８】
次に、本発明の第四及び第五の実施形態について説明する。図７は、本発明の第四及び第五の実施形態に係る空気調和装置の断面図である。
【００２９】
本発明の第四の実施形態として、管部１１は、管部１１の内部側面の所定部分に水に溶解すると着色する試薬が付着されている。ここでいう試薬は、水溶性であり、水に触れると着色するものであれば、特に限定されない。
【００３０】
試薬は、図７において、Ｘの高さにあたる内部側面に付着し、Ｙの高さにあたる内部側面には付着しない。Ｘの高さは、管部１１の高さより、管部１１の最低点から標線１２までの高さ（図７のＺ）と、図７のＹの高さとを引いた長さとなる。Ｙの高さは、ドレン水が溜まっても問題なしと考えられる許容量によって判断され、０ｃｍとしてもよい。また、Ｙの高さは、空気調和装置１の大きさ等により変動する。一般的な事務室で使用する空気調和装置の場合、Ｙの高さは、例えば０ｃｍ〜１．５ｃｍの範囲を挙げることができる。
【００３１】
ドレン水８ｃが、管部１１内のＸの高さの部分に触れると、管部１１の内部側面に付着している試薬は、ドレン水８ｃにより溶解する。試薬が溶解した後、ドレン水８ｃは、着色する。作業者は、着色したドレン水８ｃを見つけた場合、ドレンポンプ等に異常が起こっていることを容易に認識することができる。
【００３２】
また、試薬は、管部１１の内側側面の所定部分にのみ付着している。ドレン水８ｃの水位が問題ない場合、ドレン水８ｃは、着色しない。そのため、作業員は、ドレンポンプ等に異常が起こったか否かの判断を、画一的に行うことができる。
【００３３】
また、本発明の第五の実施形態として、管部１１は、管部１１の内部側面の所定部分にドレンポンプ５内及びドレン枡４内に発生する生物の発生を抑制する水溶性の試薬が付着されている。ドレンポンプ５内に発生する生物は、例えば、空気中に浮遊する細菌等が繁殖したスライム等をあげることができる。これらの生物は、特に高温多湿の環境下を好むため、特に夏期高温時において発生しやすくなる。
【００３４】
管部１１の内部側面に付着する試薬は、水溶性であり、ドレンポンプ５内及びドレン枡４内に発生する生物の発生を抑制する成分が含まれていたら、特に限定されない。なお、試薬は、前述の通り、Ｘの高さにあたる内部側面に付着し、Ｙの高さにあたる内部側面には付着しない。
【００３５】
ドレン水８ｃが、管部１１内のＸの高さの部分に触れると、管部１１の内部側面に付着している試薬は、ドレン水８ｃにより溶解する。ドレン水８ｃに溶解した試薬の成分は、ドレン枡４内やドレンポンプ５内にあるドレン水まで到達する。そのため、試薬は、ドレンポンプ５内やドレン枡４内に発生する生物の発生を抑制することができ、ドレンポンプ等の異常状態のさらなる悪化を未然に防ぐことができる。
【００３６】
また、試薬は、管部１１の内側側面の所定部分にのみ付着している。ドレン水８ｃの水位が問題ない場合、ドレン水８ｃは、試薬が溶解しない。つまり、生物の発生により異常状態が発生している緊急時のみ、試薬は、ドレン水に溶け、生物の発生を抑制することができる。
【図面の簡単な説明】
【００３７】
【図１】本発明の第一の実施形態に係る空気調和装置の断面図である。
【図２】本発明の第一の実施形態に係る空気調和装置において、異常が起こったときの状態における空気調和装置の断面図である。
【図３】本発明の第一の実施形態に係る空気調和装置において、管部の他端を下向きにしたときの空気調和装置の断面図である。
【図４】本発明の第二の実施形態に係る空気調和装置の断面図である。
【図５】本発明の第三の実施形態に係る空気調和装置の断面図である。
【図６】本発明の第三の実施形態に係る空気調和装置において、異常が起こったときの状態における空気調和装置の断面図である。
【図７】本発明の第四及び第五の実施形態に係る空気調和装置の断面図である。
【符号の説明】
【００３８】
１  空気調和装置
２  室内熱交換器
３  ドレンパン
３ａ、４ａ  底面
４  ドレン枡
５  ドレンポンプ
５ａ  吸水部
５ｂ  排出部
６  排出管
７  流出孔
８ａ、８ｂ、８ｃ  ドレン水
９  留部
１１、２１  管部
１２  標線
１３  浮部
１４  網部
５０  天井
【図１】
2010151361.tif 000003
【図２】
2010151361.tif 000004
【図３】
2010151361.tif 000005
【図４】
2010151361.tif 000006
【図５】
2010151361.tif 000007
【図６】
2010151361.tif 000008
【図７】
2010151361.tif 000009